【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
端末装置であって、
1つ以上の第一の要素が用いられて送信されるエンハンスド物理下りリンク制御チャネルを受信する受信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする端末装置。
【請求項２】
前記第２の範囲は、前記第１の範囲に含まれるいずれの値よりも大きい値を含み、前記第１の範囲は前記第２の範囲に含まれるいずれの値よりも小さい値を含むことを特徴とする請求項１に記載の端末装置。
【請求項３】
少なくともＲＲＣ信号により通知された情報に基づいて、前記第１の値と前記第２の値のうちの１つを使用することを特徴とする請求項１に記載の端末装置。
【請求項４】
前記エンハンスド物理下りリンク制御チャネルは、Ｌｏｃａｌｉｚｅｄ送信、又はＤｉｓｔｒｉｂｕｔｅｄ送信のいずれかが用いられて送信されることを特徴とする請求項１に記載の端末装置。
【請求項５】
基地局装置であって、
1つ以上の第一の要素を用いてエンハンスド物理下りリンク制御チャネルを送信する送信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする基地局装置。
【請求項６】
前記第２の範囲は、前記第１の範囲に含まれるいずれの値よりも大きい値を含み、前記第１の範囲は前記第２の範囲に含まれるいずれの値よりも小さい値を含むことを特徴とする請求項５に記載の基地局装置。
【請求項７】
少なくともＲＲＣ信号を用いて通知する情報に基づいて、前記第１の値と前記第２の値のうちの１つを使用することを特徴とする請求項５に記載の基地局装置。
【請求項８】
前記エンハンスド物理下りリンク制御チャネルは、Ｌｏｃａｌｉｚｅｄ送信、又はＤｉｓｔｒｉｂｕｔｅｄ送信のいずれかを用いて送信することを特徴とする請求項５に記載の基地局装置。
【請求項９】
端末装置における通信方法であって、
1つ以上の第一の要素が用いられて送信されるエンハンスド物理下りリンク制御チャネルを受信するステップを含み、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする通信方法。
【請求項１０】
基地局装置における通信方法であって、
1つ以上の第一の要素を用いてエンハンスド物理下りリンク制御チャネルを送信するステップを含み、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする通信方法。
【請求項１１】
端末装置に実装される集積回路であって、
1つ以上の第一の要素が用いられて送信されるエンハンスド物理下りリンク制御チャネルを受信する受信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする集積回路。
【請求項１２】
基地局装置に実装される集積回路であって、
1つ以上の第一の要素を用いてエンハンスド物理下りリンク制御チャネルを送信する送信部を備え、
前記第一の要素は、複数の第二の要素により構成され、
前記第二の要素は、一つのリソースブロックペアにおけるリソースエレメントにより構成され、
前記第一の要素を構成する前記第二の要素の数は、第１の値または前記第１の値と異なる第２の値のいずれかであり、
前記第一の要素を構成する前記第二の要素の数が前記第１の値である場合、前記エンハンスド物理下りリンク制御チャネルの送信に用いられる前記第一の要素の数が第１の範囲に属し、
前記第一の要素を構成する前記第二の要素の数が前記第２の値である場合、前記エンハンスド物理下りリンク制御チャネルの送信に用いられる前記第一の要素の数が第２の範囲に属し、
前記第１の範囲及び前記第２の範囲のそれぞれは、前記エンハンスド物理下りリンク制御チャネルの送信に用いられる前記第一の要素の数の取り得る値の集合であり、
前記第１の範囲は前記第２の範囲と異なることを特徴とする集積回路。